(57)【要約】【課題】使用者に不満の気持ちを抱かせることなく点検時期の到来を確実に理解してもらうことを可能とする。【解決手段】標準使用期間Ｔ０を超えての運転時間が、ステップ２０１、２０３、２０５、２０７でそれぞれ所定時間Ｔ１、Ｔ２、Ｔ３、Ｔ４に到達すると、ステップ２０２、２０４、２０６、３０９でそれぞれ風向を所定位置に固定、風量を所定風量に固定、圧縮機運転周波数の上限を所定周波数に低下、運転を禁止とすることにより、標準使用期間到来後に、時間の経過と共に本来機能に影響の少ないところから徐々に機能が低下していき、最終的に運転ができなくなることとなる。【選択図】図２
2011202846.tif 000002
【特許請求の範囲】
【請求項１】
プログラムされたマイコンによって空気調和機を制御する装置であって、空気調和機の設計上の標準使用期間Ｔ０が到来したことを検知する検知手段と、標準使用期間Ｔ０が到来したときに点検時期であることを報知する報知手段とを備え、前記検知手段が標準使用期間Ｔ０到来を検知した時点で一旦運転を停止させ、標準使用期間Ｔ０到来後は前記報知手段が点検時期であることを継続して報知し、標準使用期間Ｔ０到来後の使用時間が所定時間Ｔ１に到達した後は風向を所定位置に固定し、標準使用期間Ｔ０到来後の使用時間が所定時間Ｔ１よりも長い所定時間Ｔ２に到達した後は風量を所定風量に固定し、標準使用期間Ｔ０到来後の使用時間が所定時間Ｔ２よりも長い所定時間Ｔ３に到達した後は圧縮機運転周波数の上限を所定周波数に低下させ、標準使用期間Ｔ０到来後の使用時間が所定時間Ｔ３よりも長い所定時間Ｔ４に到達した後は運転を禁止することを特徴とする空気調和機の制御装置。
【発明の詳細な説明】
【技術分野】
【０００１】
本発明は、プログラムされたマイコンによって空気調和機を制御する装置に関するもので、特に、長期使用時の制御に関するものである。
【背景技術】
【０００２】
一般に、空気調和機を含む家庭用電気機器には設計上の標準使用期間があり、その使用期間を超えて使用が継続されると、予想し得ない不具合や故障が発生する可能性がある。
【０００３】
従来、この種の空気調和機の制御装置は、システム全体の運転時間の積算値や主要な構成要素への通電時間の積算値が所定値を超えた時点で、点検の時期であることを使用者に知らせて一旦運転を停止させ、点検時期を超えての運転時間や通電時間が所定時間に到達すると、運転を強制的に停止させ、以後の運転を禁止するものがある（例えば、特許文献１参照）。
【０００４】
図３は特許文献１に記載された従来の空気調和機の制御装置のマイコンが実行するプログラムのフローチャートを示すものである。図３において、ステップ３０１で運転中である場合のみ、ステップ３０２に進んで運転時間Ｔを積算して不揮発性メモリに記憶する。そして、ステップ３０３で運転時間Ｔの積算値が設計上の標準使用期間Ｔ０を超えると、ステップ３０４に進んで運転を停止させ、その後は、ステップ３０５で表示部の発光素子を点滅させて点検時期の到来を報知し、ステップ３０６で運転中である場合のみ、ステップ３０７に進んで運転時間Ｔを積算して不揮発性メモリに記憶する。そして、ステップ３０８で運転時間Ｔの積算値が設計上の標準使用期間Ｔ０と所定時間Ｔ５の合計を超えると、ステップ３０９に進んで以後の運転を禁止する。
【先行技術文献】
【特許文献】
【０００５】
【特許文献１】特開平６−１８０１３８号公報
【発明の概要】
【発明が解決しようとする課題】
【０００６】
しかしながら、前記従来の構成では、点検時期到来の報知を使用者が正しく理解できずに使用を継続した場合に、結果として突然運転ができなくなってしまうことになるので、使用者に不満の気持ちを抱かせてしまうという課題を有していた。
【０００７】
本発明は、前記従来の課題を解決するもので、使用者に不満の気持ちを抱かせることなく点検時期の到来を確実に理解してもらうことができる空気調和機の制御装置を提供することを目的とする。
【課題を解決するための手段】
【０００８】
前記従来の課題を解決するために、本発明の空気調和機の制御装置は、標準使用期間Ｔ０到来後の使用時間が所定時間Ｔ１に到達した後は風向を所定位置に固定し、標準使用期間Ｔ０到来後の使用時間が所定時間Ｔ１よりも長い所定時間Ｔ２に到達した後は風量を所定風量に固定し、標準使用期間Ｔ０到来後の使用時間が所定時間Ｔ２よりも長い所定時間Ｔ３に到達した後は圧縮機運転周波数の上限を所定周波数に低下させ、標準使用期間Ｔ０到来後の使用時間が所定時間Ｔ３よりも長い所定時間Ｔ４に到達した後は運転を禁止するようにしたものである。
【０００９】
これによって、標準使用期間到来後に、時間の経過と共に本来機能に影響の少ないところから徐々に機能が低下していき、最終的に運転ができなくなることになる。
【発明の効果】
【００１０】
本発明の空気調和機の制御装置は、使用者に不満の気持ちを抱かせることなく点検時期の到来を確実に理解してもらうことができ、点検または買い替えを強く促すこともできる。
【図面の簡単な説明】
【００１１】
【図１】本発明の実施の形態１における空気調和機の制御装置の構成を示すブロック図
【図２】本発明の実施の形態１における空気調和機の制御装置のマイコンが実行するプログラムのフローチャート
【図３】従来の空気調和機の制御装置のマイコンが実行するプログラムのフローチャート
【発明を実施するための形態】
【００１２】
第１の発明は、プログラムされたマイコンによって空気調和機を制御する装置であって、空気調和機の設計上の標準使用期間Ｔ０が到来したことを検知する検知手段と、標準使用期間Ｔ０が到来したときに点検時期であることを報知する報知手段とを備え、検知手段が標準使用期間Ｔ０到来を検知した時点で一旦運転を停止させ、標準使用期間Ｔ０到来後は報知手段が点検時期であることを継続して報知し、標準使用期間Ｔ０到来後の使用時間が所定時間Ｔ１に到達した後は風向を所定位置に固定し、標準使用期間Ｔ０到来後の使用時間が所定時間Ｔ１よりも長い所定時間Ｔ２に到達した後は風量を所定風量に固定し、標準使用期間Ｔ０到来後の使用時間が所定時間Ｔ２よりも長い所定時間Ｔ３に到達した後は圧縮機運転周波数の上限を所定周波数に低下させ、標準使用期間Ｔ０到来後の使用時間が所定時間Ｔ３よりも長い所定時間Ｔ４に到達した後は運転を禁止することにより、標準使用期間到来後に、時間の経過と共に本来機能に影響の少ないところから徐々に機能が低下していき、最終的に運転ができなくなることになり、使用者に不満の気持ちを抱かせることなく点検時期の到来を確実に理解してもらうことができ、点検または買い替えを強く促すこともできる。
【００１３】
以下、本発明の実施の形態について、図面を参照しながら説明する。なお、本実施の形態によって本発明が限定されるものではない。
【００１４】
（実施の形態１）
図１は、本発明の実施の形態１における空気調和機の制御装置の構成を示すブロック図、図２は、本発明の実施の形態１における空気調和機の制御装置のマイコンが実行するプログラムのフローチャートである。
【００１５】
図１において、１は室内機、２は室外機、３は室内機と室外機の間を結び情報を送受信するための通信線、４はリモコン、５は室内機を制御するマイコン、６はマイコン５が実行するプログラム、７はリモコン４の信号を受信する受信部、８は電源が遮断されてもデータを保持することができる書き換え可能な不揮発性メモリ、９は運転の状態や設定を報知するための発光素子が配置された表示部、１０はルーバー、１１はルーバーを駆動するためのルーバー駆動部、１２は室内ファン、１３は室内ファンを駆動するための室内ファン駆動部、１４は室外機を制御するマイコン、１５はマイコン１４が実行するプログラム、１６は室外ファン、１７は室外ファンを駆動するための室外ファン駆動部、１８は圧縮機、１９は圧縮機を駆動するための圧縮機駆動部であり、使用者はリモコン４を操作することによって、室内機１に運転切／入や温度設定等の信号を送信し、室内機１は室外機２
と連動して空気調和機としての制御動作を行う。
【００１６】
以下、図２のフローチャートに従い図１に示すプログラム６の動作を説明する。なお、従来と同一のステップについては、同一符号を付してその詳細な説明は省略する。
【００１７】
マイコン５は、ステップ３０７で運転時間Ｔを積算し、ステップ２０１で運転時間Ｔの積算値が設計上の標準使用期間Ｔ０と所定時間Ｔ１の合計を超えると、ステップ２０２に進んで風向を所定位置に固定する。そして、ステップ２０３で運転時間Ｔの積算値が設計上の標準使用期間Ｔ０と所定時間Ｔ１よりも長い所定時間Ｔ２の合計を超えると、ステップ２０４に進んで風量を所定風量に固定する。そして、ステップ２０５で運転時間Ｔの積算値が設計上の標準使用期間Ｔ０と所定時間Ｔ２よりも長い所定時間Ｔ３の合計を超えると、ステップ２０６に進んで圧縮機運転周波数の上限を通常時よりも低く（例えば通常時の５０％に）設定する。そして、更にステップ２０７で運転時間Ｔの積算値が設計上の標準使用期間Ｔ０と所定時間Ｔ３よりも長い所定時間Ｔ４の合計を超えると、ステップ３０９に進んで以後の運転を禁止する。
【００１８】
以上のように、本実施の形態においては、標準使用期間Ｔ０を超えての運転時間が、ステップ２０１、２０３、２０５、２０７でそれぞれ所定時間Ｔ１、Ｔ２、Ｔ３、Ｔ４に到達すると、ステップ２０２、２０４、２０６、３０９でそれぞれ風向を所定位置に固定、風量を所定風量に固定、圧縮機運転周波数の上限を所定周波数に低下、運転を禁止とすることにより、標準使用期間到来後に、時間の経過と共に本来機能に影響の少ないところから徐々に機能が低下していき、最終的に運転ができなくなることとなり、使用者に不満の気持ちを抱かせることなく点検時期の到来を確実に理解してもらうことができ、点検または買い替えを強く促すこともできる。
【００１９】
なお、本実施の形態において、ステップ２０６における圧縮機運転周波数の上限設定は一例であり、本発明を限定するものではない。
【産業上の利用可能性】
【００２０】
以上のように、本発明にかかる空気調和機の制御装置は、使用者に不満の気持ちを抱かせることなく点検時期の到来を確実に理解してもらうことが可能となり、点検または買い替えを強く促すことも可能となるので、他の家庭用電気機器にも適用できる。
【符号の説明】
【００２１】
１  室内機
２  室外機
３  通信線
４  リモコン
５  マイコン
６  プログラム
７  受信部
８  不揮発性メモリ
９  表示部
１０  ルーバー
１１  ルーバー駆動部
１２  室内ファン
１３  室内ファン駆動部
１４  マイコン
１５  プログラム
１６  室外ファン
１７  室外ファン駆動部
１８  圧縮機
１９  圧縮機駆動部
【図１】
2011202846.tif 000003
【図２】
2011202846.tif 000004
【図３】
2011202846.tif 000005